(57)【要約】【課題】本発明は移動端末に搭載された無線通信装置が１つだけの場合であっても、移動端末と相手端末との間のデータ通信に影響を及ぼすことなく無線基地局の探索や無線回線の切り替えを容易に行うことが可能な移動端末の通信制御方法及び移動端末を提供することを目的とする。【解決手段】単一の無線通信手段１１を有し何れかの無線基地局２０との間に形成される無線回線及び所定の通信網を経由して相手端末との間にデータ通信のためのリンクを形成する移動端末１０が使用する無線回線を管理するための移動端末の通信制御方法において、移動端末１０が形成されたリンク上でデータ通信が行われているか否かを識別し、データ通信が行われていない場合に限り形成された無線回線を切断した後、無線通信手段１１を用いて利用可能な無線基地局２０を探索する。【選択図】      図１
2004304436.tif 000002
【特許請求の範囲】
【請求項１】
単一の無線通信手段を有し、何れかの無線基地局との間に形成される無線回線及び所定の通信網を経由して相手端末との間にデータ通信のためのリンクを形成する移動端末が使用する無線回線を管理するための移動端末の通信制御方法において、
前記移動端末が、形成されたリンク上でデータ通信が行われているか否かを識別し、データ通信が行われていない場合に限り、形成された無線回線を切断した後、前記無線通信手段を用いて利用可能な無線基地局を探索する
ことを特徴とする移動端末の通信制御方法。
【請求項２】
単一の無線通信手段を有し、何れかの無線基地局との間に形成される無線回線及び所定の通信網を経由して相手端末との間にデータ通信のためのリンクを形成する移動端末が使用する無線回線を管理するための移動端末の通信制御方法において、
前記移動端末が、１つ以上の利用可能な無線基地局の情報を予め検索して記憶しておき、
前記移動端末が使用する無線基地局を切り替える場合には、形成されたリンク上でデータ通信が行われているか否かを識別し、データ通信が行われていない場合に限り、形成された無線回線を切断した後で、利用可能な無線基地局の１つを選択し、選択された無線基地局との間に無線回線を形成する
ことを特徴とする移動端末の通信制御方法。
【請求項３】
請求項２記載の移動端末の通信制御方法において、前記移動端末が利用可能な無線基地局を探索する場合には、
前記移動端末が、形成されたリンク上でデータ通信が行われているか否かを識別し、データ通信が行われていない場合に限り、形成された無線回線を切断した後、前記無線通信手段を用いて利用可能な無線基地局を探索する
ことを特徴とする移動端末の通信制御方法。
【請求項４】
請求項２記載の移動端末の通信制御方法において、前記移動端末が使用する無線基地局を切り替える際に利用可能な無線基地局が複数存在する場合には、所定の選択条件に従って最適な１つの無線基地局を選択し、選択された無線基地局との間に無線回線を形成する
ことを特徴とする移動端末の通信制御方法。
【請求項５】
単一の無線通信手段を有し、何れかの無線基地局との間に形成される無線回線及び所定の通信網を経由して相手端末との間にデータ通信のためのリンクを形成する移動端末において、
形成されたリンク上でデータ通信が行われているか否かを識別する通信状態識別手段と、
データ通信が行われていない場合に限り、形成された無線回線を切断した後、前記無線通信手段を用いて利用可能な無線基地局を探索する探索手段と
を設けたことを特徴とする移動端末。
【請求項６】
単一の無線通信手段を有し、何れかの無線基地局との間に形成される無線回線及び所定の通信網を経由して相手端末との間にデータ通信のためのリンクを形成する移動端末において、
１つ以上の利用可能な無線基地局の情報を予め検索した結果として記憶する基地局情報保持手段と、
使用する無線基地局を切り替える場合には、形成されたリンク上でデータ通信が行われているか否かを識別する通信状態識別手段と、
データ通信が行われていない場合に限り、形成された無線回線を切断した後で、前記基地局情報保持手段の保持している情報の中から利用可能な無線基地局の１つを選択し、選択された無線基地局との間に無線回線を形成する基地局切替制御手段と
を設けたことを特徴とする移動端末。
【請求項７】
請求項６記載の移動端末において、
利用可能な無線基地局を探索する場合には、前記通信状態識別手段を用いて形成されたリンク上でデータ通信が行われているか否かを識別し、データ通信が行われていない場合に限り、形成された無線回線を切断した後、前記無線通信手段を用いて利用可能な無線基地局を探索する探索手段
を更に設けたことを特徴とする移動端末。
【請求項８】
請求項６記載の移動端末において、前記基地局切替制御手段は、使用する無線基地局を切り替える際に利用可能な無線基地局が複数存在する場合には、所定の選択条件に従って最適な１つの無線基地局を選択することを特徴とする移動端末。
【発明の詳細な説明】
【０００１】
【発明の属する技術分野】
本発明は、単一の無線通信装置を備え何れかの無線基地局との間に形成される無線回線及び所定の通信網を経由して相手端末との間にデータ通信のためのリンク（データ通信リンク）を形成する移動端末が使用する無線回線を管理するために用いる移動端末の通信制御方法及び移動端末に関する。
【０００２】
【従来の技術】
本発明においては、図６に示すような構成の通信システムに用いる移動端末を想定している。すなわち、移動端末は無線通信装置を介して無線基地局との間に無線通信リンク（無線回線）を形成し、この無線回線と無線基地局及びネットワークを介して相手端末との間にデータ通信のためのリンク（データ通信リンク）を形成する。
【０００３】
移動端末が通信を行うためには、無線通信が可能な少なくとも１つの無線基地局を見つけてその無線基地局との間に無線回線を形成した後、その無線回線を経由する通信経路を相手端末との間に形成する必要がある。移動端末が移動する場合には、各無線基地局との位置関係が変化するため形成した無線回線の通信品質や各々の無線基地局と移動端末との間で通信が可能か否かも変化する。
【０００４】
従って、複数の無線基地局が存在するような場合には、移動端末が移動しても常に通信ができるように、移動端末は例えば定期的に無線基地局の探索を行って、無線回線がとぎれないように管理するのが望ましい。
本発明と関連のある従来技術としては、特許文献１，特許文献２及び特許文献３が知られている。これらの従来技術においては、無線通信装置を備える移動端末が、無線通信装置を用いて無線通信可能エリアを把握し、無線通信可能エリアを選択する機能を開示している。
【０００５】
また、特許文献１では端末側の無線ＬＡＮ装置がネットワーク側のアクセスポイントを選択するにあたり、予め定めた接続優先順位や電波強度判定条件値に基づき、優先度の高いアクセスポイントから選択する機能を開示している。
特許文献２は、端末側で無線ＬＡＮの信号を検出し、その電波強度を測定する機能を設けることを開示している。
【０００６】
特許文献３は、端末側の無線ＬＡＮ装置が、通信可能な相手の無線ＬＡＮ装置を探索及び登録する機能と、登録した無線ＬＡＮ装置にアクセスして情報を収集する機能を設けることを開示している。
【特許文献１】
特開２００１−３０８８６６（無線ＬＡＮにおけるアクセスポイント選択方法及び無線ＬＡＮ装置）
【特許文献２】
特開２００２−１３５１９９（無線通信システム、無線装置、通信状態通知方法及び記録媒体）
【特許文献３】
特開２００２−２４７０４４（無線ＬＡＮ信号検出装置）
【０００７】
【発明が解決しようとする課題】
従来の技術においては次のような問題がある。
【０００８】
（１）移動端末に搭載された無線通信装置が１つだけの場合には、無線基地局の探索のための動作と通信のための動作とを同時に行うことができないので、移動端末が通信を行っていると通信を一度中止した後でなければ無線基地局の探索を開始することができない。このため、適切なタイミングで無線基地局の探索を行うことができない。
【０００９】
（２）移動端末と無線基地局との間は無線回線（無線通信リンク）で接続されるが、移動端末と相手端末との間はこの無線回線を経路中に含むデータ通信リンクで接続される。無線回線とデータ通信リンクとはそれぞれ独立に管理されており、互いに関連付けを持たない。このため、移動端末は無線回線とデータ通信リンクとを同時に監視することができない。
【００１０】
（３）移動端末は、相手端末との間のデータ通信に用いるデータ通信リンクの状態を考慮することなく無線回線を制御する。従って、移動端末が無線基地局の探索などのために無線通信装置を使用する場合には、無線回線の切断によって移動端末と相手端末とのデータ通信が中断されるため、データ通信リンクにも切断などの影響が現れる。
【００１１】
本発明は、移動端末に搭載された無線通信装置が１つだけの場合であっても、移動端末と相手端末との間のデータ通信に影響を及ぼすことなく、無線基地局の探索や無線回線の切り替えを容易に行うことが可能な移動端末の通信制御方法及び移動端末を提供することを目的とする。
【００１２】
【課題を解決するための手段】
請求項１は、単一の無線通信手段を有し、何れかの無線基地局との間に形成される無線回線及び所定の通信網を経由して相手端末との間にデータ通信のためのリンクを形成する移動端末が使用する無線回線を管理するための移動端末の通信制御方法において、前記移動端末が、形成されたリンク上でデータ通信が行われているか否かを識別し、データ通信が行われていない場合に限り、形成された無線回線を切断した後、前記無線通信手段を用いて利用可能な無線基地局を探索することを特徴とする。
【００１３】
請求項１においては、データ通信が行われていない場合に限って利用可能な無線基地局を探索するので、探索専用の無線通信装置を設けなくとも、データ通信に影響を及ぼすことなくデータ通信と共通の無線通信手段を利用して無線基地局を探索することができる。
このため、無線基地局を探索する際に相手端末との間のデータ通信リンクは切断されず、無線基地局の探索が終了した後は同じデータ通信リンクを介して相手端末との間でデータ通信を行うことができる。
【００１４】
請求項２は、単一の無線通信手段を有し、何れかの無線基地局との間に形成される無線回線及び所定の通信網を経由して相手端末との間にデータ通信のためのリンクを形成する移動端末が使用する無線回線を管理するための移動端末の通信制御方法において、前記移動端末が、１つ以上の利用可能な無線基地局の情報を予め検索して記憶しておき、前記移動端末が使用する無線基地局を切り替える場合には、形成されたリンク上でデータ通信が行われているか否かを識別し、データ通信が行われていない場合に限り、形成された無線回線を切断した後で、利用可能な無線基地局の１つを選択し、選択された無線基地局との間に無線回線を形成することを特徴とする。
【００１５】
請求項２においては、データ通信が行われていない場合に限って新たに選択した無線基地局との間に無線回線を形成するので、データ通信に影響を及ぼすことなく使用する無線基地局を切り替えることができる。
また、無線基地局を切り替える際に相手端末との間のデータ通信リンクは切断されず、無線基地局の探索が終了した後は同じデータ通信リンクを介して相手端末との間でデータ通信を行うことができる。
【００１６】
請求項３は、請求項２記載の移動端末の通信制御方法において、前記移動端末が利用可能な無線基地局を探索する場合には、前記移動端末が、形成されたリンク上でデータ通信が行われているか否かを識別し、データ通信が行われていない場合に限り、形成された無線回線を切断した後、前記無線通信手段を用いて利用可能な無線基地局を探索することを特徴とする。
【００１７】
請求項３においては、データ通信が行われていない場合に限って利用可能な無線基地局を探索するので、探索専用の無線通信装置を設けなくとも、データ通信に影響を及ぼすことなくデータ通信と共通の無線通信手段を利用して無線基地局を探索することができる。
このため、無線基地局を探索する際に相手端末との間のデータ通信リンクは切断されず、無線基地局の探索が終了した後は同じデータ通信リンクを介して相手端末との間でデータ通信を行うことができる。
【００１８】
請求項４は、請求項２記載の移動端末の通信制御方法において、前記移動端末が使用する無線基地局を切り替える際に利用可能な無線基地局が複数存在する場合には、所定の選択条件に従って最適な１つの無線基地局を選択し、選択された無線基地局との間に無線回線を形成することを特徴とする。
請求項４においては、移動端末が同時に複数の無線基地局との間で通信可能な位置にある場合には、例えば通信品質が最も良い１つの無線基地局との間に無線回線を形成することができる。
【００１９】
請求項５は、単一の無線通信手段を有し、何れかの無線基地局との間に形成される無線回線及び所定の通信網を経由して相手端末との間にデータ通信のためのリンクを形成する移動端末において、形成されたリンク上でデータ通信が行われているか否かを識別する通信状態識別手段と、データ通信が行われていない場合に限り、形成された無線回線を切断した後、前記無線通信手段を用いて利用可能な無線基地局を探索する探索手段とを設けたことを特徴とする。
【００２０】
請求項５の移動端末を用いることにより、請求項１と同様の結果が得られる。
請求項６は、単一の無線通信手段を有し、何れかの無線基地局との間に形成される無線回線及び所定の通信網を経由して相手端末との間にデータ通信のためのリンクを形成する移動端末において、１つ以上の利用可能な無線基地局の情報を予め検索した結果として記憶する基地局情報保持手段と、使用する無線基地局を切り替える場合には、形成されたリンク上でデータ通信が行われているか否かを識別する通信状態識別手段と、データ通信が行われていない場合に限り、形成された無線回線を切断した後で、前記基地局情報保持手段の保持している情報の中から利用可能な無線基地局の１つを選択し、選択された無線基地局との間に無線回線を形成する基地局切替制御手段とを設けたことを特徴とする。
【００２１】
請求項６の移動端末を用いることにより、請求項２と同様の結果が得られる。
請求項７は、請求項６記載の移動端末において、利用可能な無線基地局を探索する場合には、前記通信状態識別手段を用いて形成されたリンク上でデータ通信が行われているか否かを識別し、データ通信が行われていない場合に限り、形成された無線回線を切断した後、前記無線通信手段を用いて利用可能な無線基地局を探索する探索手段を更に設けたことを特徴とする。
【００２２】
請求項７の移動端末を用いることにより、請求項３と同様の結果が得られる。
請求項８は、請求項６記載の移動端末において、前記基地局切替制御手段は、使用する無線基地局を切り替える際に利用可能な無線基地局が複数存在する場合には、所定の選択条件に従って最適な１つの無線基地局を選択することを特徴とする。
【００２３】
請求項８の移動端末を用いることにより、請求項４と同様の結果が得られる。
【００２４】
【発明の実施の形態】
本発明の移動端末の通信制御方法及び移動端末の１つの実施の形態について図１〜図５を参照して説明する。この形態は全ての請求項に相当する。
【００２５】
図１はこの形態の通信システムの構成例（１）を示すブロック図である。図２は基地局探索時の通信システムの動作を示すシーケンス図である。図３は基地局切替時の通信システムの動作を示すシーケンス図である。図４はこの形態の通信システムの構成例（２）を示すブロック図である。図５は想定する階層モデルの例を示す模式図である。
【００２６】
この形態では、請求項５の無線通信手段，無線基地局，通信網，相手端末，リンク，通信状態識別手段及び探索手段は、それぞれ無線通信部１１，無線基地局２０，ネットワーク２５，相手端末３０，データ通信リンク３６，通信リンク監視部１６及び基地局探索部１５に対応する。
また、請求項６の無線通信手段，無線基地局，通信網，相手端末，リンク，基地局情報保持手段，通信状態識別手段及び基地局切替制御手段は、それぞれ無線通信部１１，無線基地局２０，ネットワーク２５，相手端末３０，データ通信リンク３６，基地局記録部１４，通信リンク監視部１６及び基地局選択部１３に対応する。
【００２７】
この形態では、図１に示すような構成の通信システムに用いられる移動端末１０に本発明を適用する場合を想定している。
移動端末１０は、通信を行うために何れかの無線基地局２０との間に無線通信リンク３５、すなわち無線回線を形成する必要がある。そのため、移動端末１０には送信機及び受信機を内蔵した無線通信部１１を備えている。
【００２８】
移動端末１０と無線基地局２０との間に無線通信リンク３５を形成することにより、移動端末１０はネットワーク２５と接続されている相手端末３０と無線基地局２０及び無線通信リンク３５を介して通信することができる。
実際に移動端末１０と相手端末３０との間でデータ通信を行うためには、それらの間の通信を管理するためにデータ通信リンク３６を形成する必要がある。データ通信リンク３６は移動端末１０内のデータ通信リンク終端部１２で終端される。
【００２９】
このデータ通信リンク３６を用いて通信する場合には、移動端末１０が送信するデータはデータ通信リンク終端部１２に入力され、無線通信部１１，無線通信リンク３５，無線基地局２０及びネットワーク２５を経由して相手端末３０に届く。また、相手端末３０が送信するデータは、ネットワーク２５，無線基地局２０，無線通信リンク３５及び無線通信部１１を経由してデータ通信リンク終端部１２で受信される。
【００３０】
無線通信リンク３５とデータ通信リンク３６とは一般的には独立に管理されるが、この形態の移動端末１０は無線通信リンク３５とデータ通信リンク３６とを互いに関連付けて管理している。
移動端末１０が通信に利用する無線基地局２０を管理するために、移動端末１０には基地局選択部１３，基地局記録部１４，基地局探索部１５及び通信リンク監視部１６が設けてある。
【００３１】
通信リンク監視部１６は、データ通信リンク３６における通信を監視して通信が行われているか否かを識別する。
基地局探索部１５は、無線通信部１１を用いて利用可能な無線基地局２０に関する探索を行う。すなわち、各々の無線基地局２０から送信される無線信号（電波など）の受信を試みて、それぞれの無線基地局２０との間で無線通信が可能か否かを識別する。
【００３２】
基地局記録部１４は、基地局探索部１５が探索した結果見つかった無線基地局２０に関する情報を保存する。また、通信の可否だけでなく、検索の際に得られた電波強度，クオリティ，Ｓ／Ｎ（信号／雑音）比などの情報も基地局毎に保持する。
基地局選択部１３は、基地局記録部１４に保持された情報に基づいて何れかの無線基地局２０を選択し、それと移動端末１０との間に無線通信リンク３５を形成する。既に無線通信リンク３５が形成されている場合には、無線通信リンク３５を形成する相手の無線基地局２０を切り替える。
【００３３】
なお、基地局選択部１３，基地局記録部１４，基地局探索部１５及び通信リンク監視部１６の各機能については、専用のハードウェアで実現することも可能であるしコンピュータ上で実行されるプログラムによって実現することも可能である。
【００３４】
基地局選択部１３，基地局記録部１４，基地局探索部１５及び通信リンク監視部１６の制御により、移動端末１０を含む通信システムは図２及び図３に示すような動作を行う。なお、制御対象となる無線基地局２０の数については必要に応じて変更すればよい。
まず、基地局を探索する場合の動作について図２を参照しながら説明する。この例では、無線基地局２０（１）と移動端末１０の無線通信部１１との間に無線通信リンク（無線回線）が形成された後でこの制御を行う場合を想定している。
【００３５】
無線基地局２０を探索するための探索要求は、移動端末１０上で例えば定期的に、あるいはユーザの入力操作に応答して、もしくは所定のコマンド入力に応答して発生する。この探索要求がステップＳ１１で現れると、通信リンク監視部１６はステップＳ１２でデータ通信リンク３６において通信が行われているか否かを識別する。
【００３６】
データ通信リンク３６で通信が行われている場合には、ステップＳ１２を繰り返して通信が終了するまで待機する。
データ通信リンク３６で通信していないことを検出すると、ステップＳ１２からＳ１３に進み、通信リンク監視部１６は無線通信リンク３５の切断指示を無線通信部１１に与える。
【００３７】
この指示を受信すると、無線通信部１１は無線通信リンク３５を形成している無線基地局２０（１）との間で無線通信リンク３５を切断するための手続を実行する。更に、ステップＳ１４で無線通信リンクの切断完了通知を通信リンク監視部１６に送る。
無線通信リンクの切断完了通知を受信すると、通信リンク監視部１６はステップＳ１５で基地局探索部１５に対して探索指示を与える。
【００３８】
この探索指示を受信すると、基地局探索部１５はステップＳ１６で無線基地局２０の探索を開始する。この探索においては、無線通信部１１が各無線基地局２０（１），２０（２），・・・から到来する無線信号を受信可能な状態に制御し、各無線信号の受信を試みる。
また、無線信号を受信した場合には、それに含まれる無線基地局の識別情報（例えばＭＡＣアドレス）などを取得する。また、可能であれば電波強度，クオリティ，Ｓ／Ｎ（信号／雑音）比などの情報も無線信号毎に取得する。
【００３９】
探索が終了すると、無線通信部１１はステップＳ１７で探索の結果を基地局記録部１４に送る。この場合、基地局記録部１４は受け取った探索結果の情報を保存する。
また、基地局記録部１４はステップＳ１８で無線通信リンク３５を再接続するための指示を無線通信部１１に与える。この指示を受信すると、無線通信部１１は探索を開始する前の無線通信リンク３５と同じ無線基地局２０（１）との間で無線通信リンク３５を再び形成する。
【００４０】
このように、データ通信リンク３６で通信が行われていない時に限って基地局の探索を行うので、探索のために一時的に無線通信部１１を使用してもデータ通信リンク３６の通信に与える影響を最小限に抑制できる。
次に、無線通信リンク３５の接続先の無線基地局２０を切り替える場合の動作について図３を参照して説明する。この例では、無線基地局２０（１）と移動端末１０の無線通信部１１との間に無線通信リンク（無線回線）が形成された後でこの制御を行う場合を想定している。また、図２に示す動作を完了して探索の結果が基地局記録部１４に既に保持されている場合を想定している。
【００４１】
無線基地局２０を切り替えるための切替要求は、移動端末１０上で例えば定期的に、あるいはユーザの入力操作に応答して、もしくは所定のコマンド入力に応答して発生する。この切替要求がステップＳ２１で現れると、通信リンク監視部１６はステップＳ２２でデータ通信リンク３６において通信が行われているか否かを識別する。
【００４２】
データ通信リンク３６で通信が行われている場合には、ステップＳ２２を繰り返して通信が終了するまで待機する。
データ通信リンク３６で通信していないことを検出すると、ステップＳ２２からＳ２３に進み、通信リンク監視部１６は無線通信リンク３５の切断指示を無線通信部１１に与える。
【００４３】
この指示を受信すると、無線通信部１１は無線通信リンク３５を形成している無線基地局２０（１）との間で無線通信リンク３５を切断するための手続を実行する。更に、ステップＳ２４で無線通信リンクの切断完了通知を通信リンク監視部１６に送る。
無線通信リンクの切断完了通知を受信すると、通信リンク監視部１６は基地局選択部１３に対して無線基地局の切替を指示する。この切替指示を受信すると、基地局選択部１３は基地局記録部１４に対してステップＳ２６で無線基地局の選択指示を与える。
【００４４】
この選択指示を受けると、基地局記録部１４は以前に行った探索の結果を表す情報を参照して、実際に利用可能な無線基地局２０の中で最適な１つの無線基地局２０を選択する。そして、ステップＳ２７で選択の結果を基地局選択部１３に通知する。
この場合、基地局選択部１３は基地局記録部１４の選択した特定の無線基地局２０との間に新たな無線通信リンク３５を形成するように、無線通信部１１に対して指示を与える。
【００４５】
この例では基地局記録部１４が無線基地局２０（２）を選択した場合を想定しているので、無線通信部１１はステップＳ２９で無線基地局２０（２）との間に無線通信リンク３５を形成するように、無線通信リンクの接続手順を実行する。
【００４６】
このように、データ通信リンク３６で通信が行われていない時に限って無線基地局の切替を行うので、切替の際にデータ通信リンク３６の通信に与える影響を最小限に抑制できる。
本発明は、図４に示すような無線ＬＡＮを構成する通信システムにも適用できる。この通信システムにおいては、移動端末１０上の無線ＬＡＮ通信部４１と何れかの無線ＬＡＮ基地局４２との間に無線回線を形成する。
【００４７】
また、この例ではＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）を用いたパケット通信を想定しているので、無線回線は図５に示すＴＣＰ／ＩＰの階層モデルにおけるネットワークインタフェース層５１の制御に相当する。また、データ通信リンク終端部１２と相手端末３０との間の通信のためのリンク（データ通信リンク）は、インターネット層５２の制御に相当する。
【００４８】
図４の例では、通信リンク監視部１６はインターネット層５２を流れるＩＰパケットを監視し、ＩＰパケットが観測されない時に、データ通信リンクで通信が行われていないものとみなす。
この場合、無線ＬＡＮ通信部４１が基地局探索機能を備えているのであれば基地局探索部１５は不要であり、代わりに無線ＬＡＮ通信部４１の基地局探索機能を利用するか、もしくは無線ＬＡＮ通信部４１をモニタモードに切り替えて全ての無線ＬＡＮ基地局４２の通信を傍受することで探索を行うことができる。
【００４９】
また、各々の無線ＬＡＮ基地局４２にはＭＡＣアドレスが予め割り当てられているので、このＭＡＣアドレスを用いて各無線ＬＡＮ基地局４２を区別することができる。
同様に、例えばＰＨＳ端末とＰＨＳ基地局とを接続する無線回線を無線通信リンク３５とする通信システムや、ＦＯＭＡ端末とＦＯＭＡ基地局とを接続する無線回線を無線通信リンク３５とする通信システムにも本発明は適用できる。
【００５０】
【発明の効果】
本発明によれば、単一の無線通信装置だけを備える移動端末においても、相手端末との通信に与える影響を最小限に抑制し、無線基地局の探索を容易に実施することができる。また、相手端末との通信に与える影響を最小限に抑制し、使用する無線基地局を切り替えることができる。
【図面の簡単な説明】
【図１】実施の形態の通信システムの構成例（１）を示すブロック図である。
【図２】基地局探索時の通信システムの動作を示すシーケンス図である。
【図３】基地局切替時の通信システムの動作を示すシーケンス図である。
【図４】実施の形態の通信システムの構成例（２）を示すブロック図である。
【図５】想定する階層モデルの例を示す模式図である。
【図６】通信システムの構成例を示すブロック図である。
【符号の説明】
１０  移動端末
１１  無線通信部
１２  データ通信リンク終端部
１３  基地局選択部
１４  基地局記録部
１５  基地局探索部
１６  通信リンク監視部
２０  無線基地局
２５  ネットワーク
３０  相手端末
３５  無線通信リンク
３６  データ通信リンク
４１  無線ＬＡＮ通信部
４２  無線ＬＡＮ基地局
５１  ネットワークインタフェース層
５２  インターネット層
【図１】
2004304436.tif 000003
【図２】
2004304436.tif 000004
【図３】
2004304436.tif 000005
【図４】
2004304436.tif 000006
【図５】
2004304436.tif 000007
【図６】
2004304436.tif 000008